(57)【要約】【課題】演出用可動体を配設した場合であっても、充分な遊技領域を確保する。【解決手段】パチンコ機の機内に配設された遊技盤Ｊの盤面にレール１０が配設され、該レール１０の内部に遊技領域Ｉが画成される。遊技領域Ｉ内の盤面に、遊技盤Ｊを装飾する装飾部材２０が配設される。装飾部材２０に開設した窓部４８ａに、所要の図柄組合わせゲームを行なう図柄表示装置Ｋが後方から臨んでいる。装飾部材２０にケース体４２が一体的に形成され、該ケース体４２に演出用可動体５２が収容される。ケース体４２の前面開口部４２ｂは遊技領域Ｉ内に臨み、該開口部４２ｂは透視板４４で閉塞される。演出用可動体５２は、透視板４４を介して前面側から透視される。透視板４４の前面は、遊技盤Ｊの盤面と略面一となるよう設定され、遊技球が流下する遊技領域Ｉの一部を構成する。【選択図】  図２
2004215920.tif 000002
【特許請求の範囲】
【請求項１】
機内にセットされる遊技盤の盤面上に画成された遊技領域に遊技球を打出して所要の遊技を行なわせる遊技機において、
前面が前記遊技盤の盤面と略面一になるよう設定されて、打出された前記遊技球が流下する遊技領域の一部を構成すると共に、後側を透視可能な透視板と、
前記透視板の後側に配設されて、所要の遊技演出に合わせて動作可能な演出用可動体とを有する
ことを特徴とする遊技機。
【請求項２】
機内にセットされる遊技盤の盤面上に画成された遊技領域に遊技球を打出して所要の遊技を行なわせる遊技機において、
前記遊技盤に配設されて、前記遊技領域内に前面開口部が臨むケース体と、
前記ケース体に収容され、所要の遊技演出に合わせて動作可能な演出用可動体と、
前記ケース体の前面開口部に配設され、前記演出用可動体を前面側から透視可能に保護する透視板とを有し、
前記透視板の前面は、前記遊技盤の盤面と略面一となるよう設定されて、打出された前記遊技球が流下する遊技領域の一部を構成している
ことを特徴とする遊技機。
【請求項３】
前記遊技盤の遊技領域内に配設され、図柄を変動表示させて主たる遊技演出を行なう図柄表示装置が臨む装飾部材に、前記ケース体が一体的に形成されている請求項２記載の遊技機。
【発明の詳細な説明】
【０００１】
【発明の属する技術分野】
この発明は、所要の遊技演出に合わせて動作可能な演出用可動体を備えた遊技機に関するものである。
【０００２】
【従来の技術】
パチンコ機、アレンジボール機あるいはパチンコ式スロットマシン等の遊技機では、機内にセットされる遊技盤の盤面に画成した遊技領域の略中央位置に表示用装飾部材が配設されて、該表示用装飾部材に形成した開口部から液晶式やドラム式等の図柄表示装置を臨ませ、この図柄表示装置で図柄組合わせゲームに伴うリーチ演出等の主たる遊技演出を行なうようになっている。このような図柄組合わせゲームを行なう遊技機においては、該遊技機の形状を他メーカの遊技機に比べて特異な形状としたり、遊技盤面に目立つような表示用装飾部材を配設する等により、そのデザイン性の差別化を図り、遊技者が親しみ易く、遊び心を高揚させるように努めている。
【０００３】
また、前記表示用装飾部材とは別に、例えば、遊技機のモチーフとされているキャラクターを象った人形等の立体的な意匠構造体を遊技盤に配設することが行なわれている。このような立体的な意匠構造体を採用することによって、遊技者に華やかさと色彩的なインパクトを与えると共に、平面的な装飾部材では醸し出すことができないリアリティを与えることができる。そして近時では、他の遊技機とのデザイン上の違いを更に明確にすべく、前記意匠構造体を大型化させる傾向がある。例えば、遊技盤面上の遊技球が流下する領域（遊技領域）の一部に本来有るべき釘に代えて、大型の意匠構造体を配設し、更なる存在感を遊技者にアピールするものがある（例えば、特許文献１参照）。
【０００４】
しかし、前述したように、遊技領域の一部に本来有るべき釘に代えて、前記大型の意匠構造体を配設すると、遊技球の流路が制限されてしまうから、遊技球の動きを楽しむことができる遊技領域が限定されてしまい、遊技者の遊技に対する興趣を低減させてしまうおそれがある。しかも、大型の意匠構造体の場合は、平面的なものに比べてリアリティを与えることができるとしても、静的であるために、遊技演出に際しての視覚的効果の向上は望めなかった。
【０００５】
そこで、遊技機のモチーフとされているキャラクターを象った人形等を、遊技演出に合わせて動作可能とした大型の演出用可動体を遊技盤に配設するものが提案されている（例えば、特許文献２参照）。
【０００６】
【特許文献１】
特開２００２−８３１号公報
【特許文献２】
特開２００２−２３９０９６号公報
【０００７】
【発明が解決しようとする課題】
前記演出用可動体は、あくまで遊技者に対する視覚的興味の向上を目的としている関係から、遊技領域を流下する遊技球の影響で可動動作に支障を来たさず、かつ遊技球の流路をその動作により可変しないようにするため、遊技盤面上に設けた区画の内部に演出用可動体を配設している。このように、演出用可動体を配設する場には、その動作が遊技球の流路に影響しないような煩雑な設計が必要であり、しかもその配設位置が限定される難点も指摘される。また、演出用可動体の配置を設定する場合は、該可動体が可動するための空間を確保しなければならず、意匠構造体を配置する場合に比して、遊技領域を更に狭めてしまうおそれがあり、遊技領域をできるだけ広く用いることが求められる遊技機（例えば、所謂権利モノ）に採用するのには不向きであった。
【０００８】
更に、遊技盤面に設けられる前述した各種の図柄表示装置は、最も注視される部位であるため、前記演出をより見やすくすべく大型化される傾向にある。すなわち、前記演出用可動体および図柄表示装置の両方を大型化させる場合は、それだけ遊技領域を圧迫することに繋がり、遊技者の遊技に対する興趣を低減させるおそれが更に強くなるばかりか、設計労力が多大なものとなる。なお、遊技領域を充分に確保しようとすると、演出用可動体および図柄表示装置のうち、少なくとも何れか一方の大型化が困難となり、視覚的な演出効果を向上させて、遊技の興趣の一層の増大化を図ることができなくなってしまう。
【０００９】
【発明の目的】
本発明は、前述した従来の技術に内在している前記課題に鑑み、これを好適に解決するべく提案されたものであって、演出用可動体を配設した場合であっても、充分な遊技領域を確保することができる遊技機を提供することを目的とする。
【００１０】
【課題を解決するための手段】
前述した課題を克服し、所期の目的を好適に達成するため、本発明に係る遊技機は、
機内にセットされる遊技盤（Ｊ）の盤面上に画成された遊技領域（Ｉ）に遊技球（１６）を打出して所要の遊技を行なわせる遊技機において、
前面が前記遊技盤（Ｊ）の盤面と略面一になるよう設定されて、打出された前記遊技球（１６）が流下する遊技領域（Ｉ）の一部を構成すると共に、後側を透視可能な透視板（４４）と、
前記透視板（４４）の後側に配設されて、所要の遊技演出に合わせて動作可能な演出用可動体（５２）とを有することを特徴とする。
【００１１】
前述した課題を克服し、所期の目的を好適に達成するため、本願の別発明に係る遊技機は、
機内にセットされる遊技盤（Ｊ）の盤面上に画成された遊技領域（Ｉ）に遊技球（１６）を打出して所要の遊技を行なわせる遊技機において、
前記遊技盤（Ｊ）に配設されて、前記遊技領域（Ｉ）内に前面開口部（４２ｂ）が臨むケース体（４２）と、
前記ケース体（４２）に収容され、所要の遊技演出に合わせて動作可能な演出用可動体（５２）と、
前記ケース体（４２）の前面開口部（４２ｂ）に配設され、前記演出用可動体（５２）を前面側から透視可能に保護する透視板（４４）とを有し、
前記透視板（４４）の前面は、前記遊技盤（Ｊ）の盤面と略面一となるよう設定されて、打出された前記遊技球（１６）が流下する遊技領域（Ｉ）の一部を構成していることを特徴とする。
【００１２】
また、前記遊技盤（Ｊ）の遊技領域（Ｉ）内に配設され、図柄を変動表示させて主たる遊技演出を行なう図柄表示装置（Ｋ）が臨む装飾部材（２０）に、前記ケース体（４２）を一体的に形成してもよい。
【００１３】
【作用】
本発明に係る遊技機では、遊技盤に設けられた透視板の後側に配設された演出用可動体の動作を、透視板を介して前面側から見ることができ、視覚的な演出効果が向上する。しかも透視板は、遊技球が流下する遊技領域の一部を構成しているから、前記演出用可動体を配設しても遊技領域を狭めることはなく、該可動体を大型化して更なる興趣の向上を図り得る。
【００１４】
また、遊技に際して最も注視される図柄表示装置が臨む装飾部材にケース体を一体的に形成し、該ケース体に演出用可動体を収容することで、図柄表示装置における遊技演出と、演出用可動体による動的な遊技演出とを同時に視界に収めることができ、より興趣に富んだ遊技が可能となる。
【００１５】
【発明の実施の形態】
次に、本発明に係る遊技機につき、好適な実施例を挙げて、添付図面を参照しながら以下詳細に説明する。なお、本実施例では、遊技機としてパチンコ機を例に挙げて説明するが、遊技機としてはアレンジボール機あるいはパチンコ式スロットマシン等であってもよい。また、明細書中において、「遊技盤の盤面と略面一」とは、遊技盤の盤面と面一な状態、および若干の凹凸があっても遊技球が遊技盤の盤面を支障なく流下し得る状態を含む意味で使用している。
【００１６】
図１に示す実施例に係るパチンコ機Ｐの機内に配設された遊技盤Ｊには、その盤面に、略円形状に湾曲形成したレール１０が配設されて、該レール１０の内部に遊技領域Ｉが画成されている。そして、パチンコ機Ｐの打球発射装置を作動する操作ハンドル１２の操作により、上球皿１４に貯留されている遊技球１６が、前記レール１０に沿って遊技領域Ｉに打出され、該領域Ｉを流下するよう構成される。
【００１７】
前記遊技領域Ｉ内の盤面には、図２に示す如く、縦央やや下部に、遊技球１６をスイッチで検出し得る始動入賞具１８が配設されると共に、この始動入賞具１８の直上方には遊技盤Ｊを装飾する大型の装飾部材２０が配設され、また始動入賞具１８の直下方には大型電動式の入賞装置２２が配設されている。そして、前記装飾部材２０に開設した後述の窓部４８ａに、前記始動入賞具１８への遊技球１６の通入に応じて図柄を変動表示させ、所要の図柄組合わせゲーム（主たる遊技演出）を行なう図柄表示装置Ｋが後方から臨んでいる。なお、前記遊技盤Ｊにおける遊技領域Ｉには、遊技球１６の流れに変化を与えて前記始動入賞具１８や入賞装置２２へ誘導する多数の釘２４が打設されている。また、図２中の符号２６はアウト口を示す。
【００１８】
前記入賞装置２２は、図柄表示装置Ｋの大当り成立時に対する特別遊技状態として、開成作動条件が付与される大型の入賞装置であって、特別入賞具２８に対設された扉状の開閉板３０が、後側の電磁ソレノイドに係る設定駆動条件に基づいて、通常の閉鎖状態から開放状態に変化されるようになっている。そして、特別入賞具２８の後側内部にセーフ球用のカウントスイッチと、開放作動継続用の特別スイッチ（Ｖスイッチ）が組込まれている（何れも図示せず）。なお、入賞装置２２の左右両側に、普通入賞具３２，３２が設けてある。また、始動入賞具１８および入賞装置２２の左右両側には、遊技状態に応じて照射パターンが変更制御される電飾装置３４，３４が配設されている。
【００１９】
前記装飾部材２０は、図２に示す如く、遊技領域Ｉの略中央に配設されて、該領域Ｉの左右幅方向の大部分を占める大型のものであって、横長の略楕円筒状に形成された本体枠３６の前側外周縁の略全周に亘り、所定厚みのフランジ３６ａが一体形成されている。そして、前記遊技盤Ｊにルータ加工により形成された図３に示す装着孔３８に、該本体枠３６が前側から挿入されて、そのフランジ３６ａを遊技盤Ｊの盤面に当接した状態で、該フランジ３６ａの複数箇所をネジ等により盤面にネジ止めすることで、当該装飾部材２０はフランジ３６ａの前面が盤面と略面一となった状態で遊技盤Ｊに装着される。なお、フランジ３６ａの厚みは、遊技盤Ｊの盤面を流下する遊技球１６の流れを阻害することのない寸法に設定され、該フランジ３６ａの前面も遊技領域Ｉを構成するようになっている。また、前記本体枠３６の前面上部には、通常遊技状態および特別遊技状態に応じて点灯・消灯（点滅）制御されるランプ類を設けた電光装飾表示部４０が設けてある。
【００２０】
前記本体枠３６の上部における正面右側に偏った位置に、後述する演出用可動体５２が収容されるケース体４２が一体的に形成されている。このケース体４２は、図５に示す如く、前後に開放すると共にその前側外周縁の略全周に亘りフランジ４２ａが形成され、本体枠３６と同様に前記装着孔３８に前側から挿入されて、そのフランジ４２ａを遊技盤Ｊの盤面に当接した状態で、該フランジ４２ａの複数箇所が盤面にネジ止めされている。なお、ケース体４２におけるフランジ４２ａの前面は、前記本体枠３６のフランジ３６ａと同様に、遊技盤Ｊの盤面と略面一となるよう設定され、該ケース体４２のフランジ４２ａの前面が、遊技領域Ｉの一部を構成するようになっている。また、ケース体４２の遊技領域Ｉ内に臨む前面開口部４２ｂには、後側から着脱可能に挿入された透明なアクリル樹脂製の透視板４４が臨んで、該前面開口部４２ｂを閉塞している。この透視板４４の前面は、ケース体４２におけるフランジ４２ａの前面と面一に設定されて、該フランジ４２ａと共に遊技球１６が流下する遊技領域Ｉの一部を構成している（図８参照）。なお、透視板４４は透明であり、ケース体４２に収容された前記演出用可動体５２を前側から透視可能に保護するべく機能する。
【００２１】
前記装飾部材２０における本体枠３６には、図５および図８に示す如く、前記電光装飾表示部４０の上側を覆う庇状の案内部４６が一体的に形成されている。この案内部４６は、本体枠３６のフランジ３６ａおよび前記透視板４４の前面から前方に延出し、遊技領域Ｉに打出されてフランジ３６ａや透視板４４の前面を流下する遊技球１６が、該案内部４６上を左右に移動し得るよう構成される。
【００２２】
前記本体枠３６の後側には、前記ケース体４２を含む後方開口部に取着整合された裏蓋部材４８（図６参照）が着脱自在に配設されており、該裏蓋部材４８の中央内部に、前端面から後方へ延在する矩形筒状の窓部４８ａが形成されている。そして、この窓部４８ａに、前記図柄表示装置Ｋの図柄表示部５０が後側から臨むよう構成される。なお、本体枠３６と裏蓋部材４８とから構成される装飾部材２０において、該裏蓋部材４８の前面側も、前記遊技球１６が流下する遊技領域Ｉを構成するようになっている。
【００２３】
前記裏蓋部材４８におけるケース体４２の後方開口部に対応する前面位置に、遊技機のモチーフとされているキャラクター、または前記図柄表示装置Ｋでの図柄演出のキャラクターとされている、例えば空想上の怪獣を象った演出用可動体５２が配設されて、該演出用可動体５２は、図柄表示装置Ｋでの図柄組合わせゲーム（遊技演出）に合わせて揺動運動するよう構成されている。この演出用可動体５２の後側には、図６および図７に示す如く、その長手方向に平行に延在する支持杆５４が配設されており、該支持杆５４の長手方向一端部が裏蓋部材４８に揺動可能に枢支されている。また支持杆５４の他端部にピン５４ａが後方に向けて突設され、該ピン５４ａは、裏蓋部材４８に形成された弧状孔４８ｂを介して後方に延出している。なお、前記裏蓋部材４８における演出用可動体５２が配設される前面には、該可動体５２のキャラクターに関連する絵を直接印刷したり、あるいは該絵を印刷したシールが貼着される。
【００２４】
前記裏蓋部材４８の後面に、作動部材５６が上下動可能に配設され、該作動部材５６に設けられた横方向に延在する長孔５６ａに、前記ピン５４ａが遊嵌されている。また、裏蓋部材４８の後面に駆動手段としてのモータ５８が配設され、該モータ５８により回転される回転盤６０の偏心位置に突設した突起６０ａが、前記作動部材５６に設けられたフォーク状の係合部５６ｂに摺動自在に係合している。すなわち、突起６０ａと係合部５６ｂおよび長孔５６ａとピン５４ａとの係合作用下に、モータ５８により回転盤６０を回転することで、作動部材５６を上下動し、これに伴って演出用可動体５２が揺動運動するよう構成されている。なお、前記モータ５８は、前記図柄表示装置Ｋでの図柄組合わせゲームの遊技演出に応じて制御される。
【００２５】
前記装飾部材２０の右側には、前記ケース体４２の下端部から延出する取付部６２が一体的に形成され、該取付部６２が、前記遊技盤Ｊの盤面にネジ止め固定されている。この取付部６２の前面は、前記ケース体４２のフランジ４２ａと同様に、遊技盤Ｊの盤面と略面一となるよう設定され、該取付部６２の前面は、前記遊技球１６が流下する遊技領域Ｉの一部を構成している。また取付部６２の前面には、前記演出用可動体５２のキャラクターに関連する別のキャラクター等が直接印刷あるいは印刷されたシールが貼着された装飾体６４が、所定間隔離間して配設され、該装飾体６４と取付部６２との間に、遊技球１６が上下方向に通過可能な通路６６が形成されるようにしてある（図４，図９参照）。なお、装飾体６４としては、各種のキャラクターを象った形状としてもよい。
【００２６】
【実施例の作用】
次に、前述した構成に係る実施例の遊技機の作用につき説明する。前記操作ハンドル１２の操作に基づく打球発射装置の打球発射作動に伴って、遊技球１６が１球ずつ打出され、該遊技球１６は前記レール１０に沿って移動して前記遊技領域Ｉの上部に至る。この遊技球１６は遊技盤Ｊの盤面上（遊技領域Ｉ）を、前記釘２４により方向を変えられつつ流下し、図２中の始動入賞具１８，入賞装置２２の特別入賞具２８および普通入賞具３２等に入るセーフ球と、アウト口２６に回収されるアウト球とに区分されるパチンコゲームが行なわれる。
【００２７】
また、前記装飾部材２０の案内部４６上に落下した遊技球１６は、図８に示す如く、該案内部４６に沿って左右に流下する。この場合において、装飾部材２０の右上部に配設されているケース体４２の前面開口部４２ｂを閉塞している透視板４４の前面は、遊技盤Ｊの盤面と略面一となっているから、前記遊技球１６は該透視板４４の前面を流下する。すなわち、前記演出用可動体５２の前側を透視可能に保護している透視板４４の前面も、遊技球１６が流下する遊技領域Ｉの一部を構成しているから、該可動体５２を配設することで、実際に遊技球１６が流下する遊技領域Ｉが狭くなることはない。
【００２８】
更に、前記案内部４６に沿って透視板４４の前面を右側に流下した遊技球１６は、図９に示す如く、前記装飾体６４の後側に形成された通路６６を通過して、更に流下する。すなわち、遊技者の遊び心を高揚させるために装飾体６４を配設しても、遊技球１６が実際に流下する遊技領域Ｉが狭くなることはない。
【００２９】
前記パチンコ機Ｐでは、前記始動入賞具１８に遊技球１６が入った際の前記スイッチからの始動信号入力条件により、図示しない制御回路装置から発生される制御出力に基いて、前記図柄表示装置Ｋの図柄の変動が開始され、所要の図柄組合わせゲームが展開される。そして、該ゲームの演出に応じて、前記演出用可動体５２を動作させるモータ５８が作動制御されて、該可動体５２が揺動運動する（図７（ｂ）参照）。すなわちパチンコ機Ｐでは、図柄表示装置Ｋにおける遊技演出と、演出用可動体５２による動的な遊技演出によって、より興趣に富んだ遊技が可能となる。しかも演出用可動体５２は、図柄組合わせゲームが展開される最も注目を集める図柄表示装置Ｋの近傍に位置しているから、遊技者は、図柄表示装置Ｋにおける遊技演出と、該演出用可動体５２による動的な遊技演出とを同時に視界に収めたまま遊技を楽しむことができる。また、装飾部材２０と演出用可動体５２とが遊技領域Ｉの所定箇所に纏めて配設されるから、遊技者に対して効率的な装飾効果が期待できる。
【００３０】
前述した実施例では、パチンコ機Ｐでの遊技演出をより向上させるために配設される前記演出用可動体５２を前面側から透視可能に保護する透視板４４の前面を、遊技球１６が実際に流下する遊技領域Ｉの一部を構成するようにしたから、該可動体５２の存在により遊技領域Ｉが狭くなることはない。言い替えれば、演出用可動体５２を配設しても充分に広い遊技領域Ｉを確保し、遊技球１６の動きを楽しむと云う興趣を低減させることはない。また、演出用可動体５２は遊技球１６の流下方向に影響を与えるものではないから、前記図柄表示装置Ｋを小さくすることなく該可動体５２を大型化することができ、更なる遊技演出の向上が可能となる。従って、透視板４４を用いて演出用可動体５２を保護する実施例の構成は、所謂権利モノの遊技機にも好適に採用することができる。
【００３１】
なお、前記ケース体４２は装飾部材２０に一体的に形成したから、部品点数が増加したり組付け工数が増えることはない。また、ケース体４２にユニット化されて演出用可動体５２が配設されているので、該可動体５２を取外す際の作業も簡便となる。更には、遊技領域Ｉの右上隅にケース体４２を設けたことから、遊技領域Ｉの左側と右側とで遊技球１６の動きを異ならせることが可能となり、遊技の興趣を向上させ得る。
【００３２】
【変更例】
本願は前述した実施例の構成に限定されるものでなく、その他の構成を適宜に採用することができる。
１．  実施例では、演出用可動体が収容されるケース体を装飾部材に一体的に形成した場合で説明したが、遊技盤の適宜位置にケース体を単独で配設し、その内部に演出用可動体を収容するよう構成してもよい。またこの場合に、ケース体を遊技盤の後側から取付けるように設定すれば、ネジ止めされるケース体のフランジが遊技盤の後側に位置するから、ケース体前面を遊技盤（または遊技領域）と面一にすることが可能となり、より好適に遊技球の流路を確保することができる。
２．  ケース体を遊技盤の前側から取付ける場合において、該ケース体を遊技盤に取付けるためのフランジの端縁を面取りして、遊技球をケース体前面に導びき易くしてもよい。
３．  ケース体を省略し、遊技領域内における遊技盤の盤面に形成した開口部に透視板を直に配設し、該透視板の後側に配設されている演出用可動体を前面側から視認させる構成を採用し得る。
４．  透視板に関しては、透明な合成樹脂製のものに限らず、後側の演出用可動体が前面側から透視可能で、かつ遊技球の流下を阻害しなければ、不透明な部材で格子状に形成したり多数の穴をあけたものであってもよい。
５．  演出用可動体に関して、該可動体を動作させる作動機構は実施例のものに限定されるものでなく、各種の機構を採用し得る。また、その駆動手段としてはモータに限定されるものではなく、直動式あるいは回転式のソレノイド、その他の手段を適宜に採用することができる。
６．  遊技機に採用される図柄表示装置は、液晶式に限らずベルト式やドラム式等の各種の図柄表示装置を採用し得る。
【００３３】
【発明の効果】
以上説明した如く、本発明の請求項１および２に係る遊技機によれば、演出用可動体を、その前面側から視認可能に保護する透視板の前面が、遊技球が流下する遊技領域の一部を構成するよう構成したから、演出用可動体を配設しても遊技領域が狭くなることはない。従って、遊技球の動きを楽しむ、と云う興趣を低減させることを防止し得る。しかも、演出用可動体は遊技球の流路に影響を及ぼすものではないから、該可動体を大型化して更なる遊技演出の向上を図り得る。
【００３４】
請求項３に係る遊技機によれば、遊技者が最も注視する図柄表示装置が臨む装飾部材に、前記演出用可動体が収容されるケース体を一体的に形成したから、遊技者は、図柄表示装置における遊技演出と、演出用可動体による動的な遊技演出とを同時に視界に収めたまま遊技を楽しむことができる。また、装飾部材とケース体とを一体に構成したから、それらを別体とすることに比して部品点数を削減することができ、遊技領域への組付け作業性も向上する。
【図面の簡単な説明】
【図１】本発明の実施例に係るパチンコ機を示す正面図である。
【図２】実施例に係る遊技盤を示す正面図である。
【図３】実施例に係る遊技盤から各種装置を取外した状態で示す正面図である。
【図４】実施例に係る装飾部材に各種装置を配設した状態で示す平面図である。
【図５】実施例に係る装飾部材の本体枠、ケース体、透視板および装飾体を分解状態で示す概略斜視図である。
【図６】実施例に係る装飾部材の裏蓋部材、演出用可動体およびその作動機構を分解状態で示す概略斜視図である。
【図７】実施例に係る演出用可動体およびその作動機構を示す概略斜視図である。
【図８】実施例に係る装飾部材の案内部上を移動する遊技球が透視板の前面を流下する状態を示す説明図である。
【図９】実施例に係る装飾部材の案内部上を移動した遊技球が装飾体の後側を通過する状態を示す説明図である。
【符号の説明】
１６  遊技球
２０  装飾部材
４２  ケース体
４２ｂ  前面開口部
４４  透視板
５２  演出用可動体
Ｉ  遊技領域
Ｊ  遊技盤
Ｋ  図柄表示装置
【図１】
2004215920.tif 000003
【図２】
2004215920.tif 000004
【図３】
2004215920.tif 000005
【図４】
2004215920.tif 000006
【図５】
2004215920.tif 000007
【図６】
2004215920.tif 000008
【図７】
2004215920.tif 000009
【図８】
2004215920.tif 000010
【図９】
2004215920.tif 000011